(57)【特許請求の範囲】
【請求項１】
ボトルの口部に取り付けられる第１筒部と、該第１筒部の内側に設けられた弁体と、前記第１筒部に対して軸方向に摺動可能に外嵌しており、前記第１筒部の反対側端部に注出口を有する第２筒部と、該第２筒部の内側に設けられており、前記弁体が挿脱して開閉する開閉路とを備えるプッシュプルキャップにおいて、
前記第２筒部の内側にて、前記注出口及び開閉路の間にボトルから流出した液体を整流する整流部が設けられていること
を特徴とするプッシュプルキャップ。
【請求項２】
前記整流部は有底円筒状をなし、底側を開閉路側に向けて配置されていること
を特徴とする請求項１に記載のプッシュプルキャップ。
【請求項３】
前記第２筒部における前記注出口側の端部に、前記注出口側が縮径するテーパが設けられていること
を特徴とする請求項１又は２に記載のプッシュプルキャップ。
【請求項４】
ボトルを収容する収容室と、
請求項１〜３のいずれか一つに記載のプッシュプルキャップと
を備えることを特徴とする液体供給サーバ。
【請求項５】
前記第２筒部を移動させる取り外し可能なレバーを備え、
前記レバーの少なくとも一部が係合する係合凹部が前記第２筒部の外周に形成されていること
を特徴とする請求項４に記載の液体供給サーバ。
【請求項６】
液体供給サーバは、前記プッシュプルキャップが挿入される貫通孔を備えており、
前記レバーは、
スロットが形成されたアームと、
前記貫通孔に取り付けられており、前記アームを回動可能に支持する支持部と、
前記スロットに挿入されて前記係合凹部に係合し、前記アーム及び第２筒部を連結する連結板と
を備えること
を特徴とする請求項５に記載の液体供給サーバ。
【請求項７】
前記アームに移動可能に連結しており、前記支持部に係止して前記アームの回動を規制する規制部を備えること
を特徴とする請求項６に記載の液体供給サーバ。
【請求項８】
前記支持部は突起部を備え、
前記規制部は
前記突起部に係合する係合部と、
該係合部を支持しており、前記アームに回動可能に連結した第２支持部と、
該第２支持部を前記突起部に付勢する付勢部材と
を備えること
を特徴とする請求項７に記載の液体供給サーバ。
【請求項９】
前記係合部はローラを備え、
前記突起部に連なり、前記ローラが当接する傾斜部を備えること
を特徴とする請求項８に記載の液体供給サーバ。
【請求項１０】
前記収容室を開閉する蓋を備え、
前記規制部によって前記アームの回動が規制されている場合に、前記蓋を開くことができないこと
を特徴とする請求項７から９のいずれか一つに記載の液体供給サーバ。
【発明の詳細な説明】
【技術分野】
【０００１】
本技術はボトルの口部に取り付けられるプッシュプルキャップ及び該プッシュプルキャップを備える液体供給サーバに関する。
【背景技術】
【０００２】
ボトルの口部を開閉するキャップとして、開閉操作が容易なプッシュプルキャップが使用されている（例えば特許文献１参照）。
【先行技術文献】
【特許文献】
【０００３】
【特許文献１】特開２００２−２５５２１３号公報
【発明の概要】
【発明が解決しようとする課題】
【０００４】
ボトルを斜めに保持した液体供給サーバにプッシュプルキャップを使用することがある。この場合、プッシュプルキャップを開いたときに、飲料がプッシュプルキャップから飛散することがある。
【０００５】
本実施例は斯かる事情に鑑みてなされたものであり、液体の飛散を防止するプッシュプルキャップ及び液体供給サーバを提供することを目的とする。
【課題を解決するための手段】
【０００６】
本実施例に係るプッシュプルキャップは、ボトルの口部に取り付けられる第１筒部と、該第１筒部の内側に設けられた弁体と、前記第１筒部に対して軸方向に摺動可能に外嵌しており、前記第１筒部の反対側端部に注出口を有する第２筒部と、該第２筒部の内側に設けられており、前記弁体が挿脱して開閉する開閉路とを備えるプッシュプルキャップにおいて、前記第２筒部の内側にて、前記注出口及び開閉路の間にボトルから流出した液体を整流する整流部が設けられていることを特徴とする。
【０００７】
本実施例に係るプッシュプルキャップは、前記整流部は有底円筒状をなし、底側を開閉路側に向けて配置されていることを特徴とする。
【０００８】
本実施例に係るプッシュプルキャップは、前記第２筒部における前記注出口側の端部に、前記注出口側が縮径するテーパが設けられていることを特徴とする。
【０００９】
本実施例に係る液体供給サーバは、ボトルを収容する収容室と、上述したいずれかのプッシュプルキャップとを備えることを特徴とする。
【００１０】
本実施例に係る液体供給サーバは、前記第２筒部を移動させる取り外し可能なレバーを備え、前記レバーの少なくとも一部が係合する係合凹部が前記第２筒部の外周に形成されていることを特徴とする。
【００１１】
本実施例に係る液体供給サーバは、液体供給サーバは、前記プッシュプルキャップが挿入される貫通孔を備えており、前記レバーは、スロットが形成されたアームと、前記貫通孔に取り付けられており、前記アームを回動可能に支持する支持部と、前記スロットに挿入されて前記係合凹部に係合し、前記アーム及び第２筒部を連結する連結板とを備えることを特徴とする。
【００１２】
本実施例に係る液体供給サーバは、前記アームに移動可能に連結しており、前記支持部に係止して前記アームの回動を規制する規制部を備えることを特徴とする。
【００１３】
本実施例に係る液体供給サーバは、前記支持部は突起部を備え、前記規制部は前記突起部に係合する係合部と、該係合部を支持しており、前記アームに回動可能に連結した支持部と、該支持部を前記突起部に付勢する付勢部材とを備えることを特徴とする。
【００１４】
本実施例に係る液体供給サーバは、前記係合部はローラを備え、前記突起部に連なり、前記ローラが当接する傾斜部を備えることを特徴とする。
【００１５】
本実施例に係る液体供給サーバは、前記収容部を開閉する蓋を備え、前記規制部によって前記アームの回動が規制されている場合に、前記蓋を開くことができないことを特徴とする。
【００１６】
本実施例においては、開閉路を通過した液体は、整流部にて整流され、注出口から出る。
【００１７】
本実施例においては、開閉路を通過した液体は、整流部の底部に進路を邪魔されるので、前記底部から整流部の側面部に迂回し、注出口に至る。迂回によって液体の整流を実現することができる。
【００１８】
本実施例においては、テーパによって液体を注出口に集約させることができる。
【００１９】
本実施例においては、取り外し可能なレバーを設けることによって、点検の際に容易にレバーを取り外し、修理又は洗浄を容易に行うことができる。また第２筒部の係合凹部にレバーを係止させることで、プッシュプルキャップにレバーを連結させることができる。
【００２０】
本実施例においては、連結板をアームのスロットに挿入するだけで、アーム及びプッシュプルキャップを容易に連結させることができる。
【００２１】
本実施例においては、規制部を設けることによって、アームが不要に回動し、プッシュプルキャップが開くことを防止することができる。
【００２２】
本実施例においては、付勢部材によって係合部を突起部に向けて付勢し、係合部を突起部に係合させる。また付勢部材の付勢力に抗して、支持部を回動させることによって、突起部に対する係合部の係合を解除することができる。係合部を突起部に係合させた場合、ロック音が発生し、ユーザは係合を感知することができる。突起部に対する係合部の係合を解除した場合、ユーザはクリック感を得ることができ、係合の解除を認識することができる。また目視によって、係合又は係合の解除を認識することができる。
【００２３】
本実施例においては、係合部がローラを備え、突起部に傾斜部が連なっているので、突起部に対する係合部の係合が解除された後、ローラは傾斜部に接触しつつ、移動し、プッシュプルキャップを円滑に開くことができる。
【００２４】
本実施例においては、使用者が誤って蓋を開けて、ボトルを取り外し、プッシュプルキャップの第１円筒部と第２円筒部１２とが分離してボトル内の液体が漏出することを防止することができる。
【発明の効果】
【００２５】
本実施例に係るプッシュプルキャップ及び液体供給サーバにあっては、開閉路を通過した液体は、整流部にて整流されるので、飛散を防止しつつ注出口から注出される。
【図面の簡単な説明】
【００２６】
【図１】実施の形態に係る液体供給サーバを略示する側面断面図である。
【図２】プッシュプルキャップを略示する正面図である。
【図３】図２に示すＩＩＩ−ＩＩＩ線を切断線としたプッシュプルキャップの略示断面図である。
【図４】レバーを略示する側面図である。
【図５】支持部を略示する斜視図である。
【図６】アームを略示する斜視図である。
【図７】アームを略示する正面図である。
【図８】連結板を略示する斜視図である。
【図９】支持部に取り付けたアームと、スロットに挿入する前の連結板とを略示する斜視図である。
【図１０】下側から視認した筐体の貫通孔付近の構成を示す部分拡大斜視図である。
【図１１】筐体に取り付けたレバー及び筐体に収容したボトルを略示する部分拡大縦断面図である。
【図１２】実施の形態２に係る液体供給サーバを略示する斜視図である。
【図１３】レバーを略示する斜視図である。
【図１４】支持部を略示する斜視図である。
【図１５】アーム及び規制部を略示する分解斜視図である。
【図１６】連結板を略示する斜視図である。
【図１７】突起部にローラが係合したレバー及び筐体に収容したボトルを略示する部分拡大縦断面図である。
【図１８】突起部に対するローラの係合が解除されたレバー及び筐体に収容したボトルを略示する部分拡大縦断面図である。
【発明を実施するための形態】
【００２７】
（実施の形態１）
以下本発明を実施の形態１に係る液体供給サーバを示す図面に基づいて説明する。図１は、液体供給サーバを略示する側面断面図である。
【００２８】
液体供給サーバは筐体１と、該筐体１上部に設けられており、ボトル５０及び予備ボトル５１を収容する収容室２とを備える。収容室２には断熱ケース３が設けられており、該断熱ケース３にボトル５０及び予備ボトル５１が収容されている。
【００２９】
断熱ケース３の内側に、ボトル５０及び予備ボトル５１を冷却又は加熱する為の冷却／加熱プレート４が設けられている。断熱ケース３の底部であって、冷却／加熱プレート４の一面側に開口３ａが設けられている。該開口３ａの下側には、ボトル５０の頭部を支持する漏斗状の支持体５が、小径側を下方に向けて設けられている。支持体５は収容室２に固定されている。支持体５の下側開口は収容室２の貫通孔２ａに臨んでいる。
【００３０】
冷却／加熱プレート４を仕切りにして、冷却／加熱プレート４の一面側に、頭部を下側にしてボトル５０が配置されている。ボトル５０の頭部は開口３ａを通って支持体５にて支持されている。ボトル５０の口部の外周面には雄ねじが形成されており、プッシュプルキャップ１０が螺合している。プッシュプルキャップ１０は貫通孔２ａに挿入されており、筐体１の外側に突出している。
【００３１】
プッシュプルキャップ１０の近傍において、筐体１には上下に移動するレバー６が設けられている。レバー６はプッシュプルキャップ１０に連結されている。レバー６を下方に移動させた場合、プッシュプルキャップ１０は開き、レバー６を上方に移動させた場合、プッシュプルキャップ１０は閉じる。
【００３２】
冷却／加熱プレート４の他面側には予備ボトル５１が配置されている。筐体１の下部にはコンプレッサ７が設けられており、筐体１下部の背面には熱交換フィン９が設けられている。コンプレッサ７及び冷却／加熱プレート４の間には媒体パイプ８が設けられている。媒体パイプ８には、媒体（例えば冷媒ガス）が流れている。コンプレッサ７の駆動及び熱交換フィン９での熱交換によって、冷却／加熱プレート４が媒体を介して冷却又は加熱され、ボトル５０及び予備ボトル５１が冷却又は加熱される。
【００３３】
図２は、プッシュプルキャップ１０を略示する正面図、図３は、図２に示すＩＩＩ−ＩＩＩ線を切断線としたプッシュプルキャップ１０の略示断面図である。図３Ａは閉栓したプッシュプルキャップ１０を示し、図３Ｂは開栓したプッシュプルキャップ１０を示す。
【００３４】
プッシュプルキャップ１０は、ボトル５０の口部に取り付けられる第１筒部１１と、該第１筒部１１に対して軸方向に摺動可能に外嵌しており、注出口１２ａを有する第２筒部１２とを備える。前記レバー６は第２筒部１２に連結されており、レバー６の上下動によって第２筒部１２は上下動し、プッシュプルキャップ１０は閉栓又は開栓する。
【００３５】
第１筒部１１の一端部内側に、ボトル５０の口部の雄ねじに螺合する雌ねじ１１ａが形成されている。また第１筒部１１の一端外周には、フランジ１１ｇが周設されている。第１筒部１１の他端部は段状に形成されており、前記他端部において、他端側の直径が一端側の直径よりも小さくなっている。最も一端側に位置する第１筒部１１の段差部分に、後述する案内溝１２ｊに挿入され、軸方向に延びた案内環１１ｂが設けられている。
【００３６】
前記他端部の内側に有底円筒状の弁体１１ｃが設けられている。弁体１１ｃは、底面を他端側に向けて配置されている。弁体１１ｃの底の反対側には一又は複数のリブ１１ｄが設けられており、該リブ１１ｄを介して弁体１１ｃは第１筒部１１に連結されている。
【００３７】
弁体１１ｃの直径は第１筒部１１の直径よりも小径であり、弁体１１ｃの周囲には、軸方向に貫通した空間１１ｆが設けられている。弁体１１ｃの周囲において、第１筒部１１には径方向に貫通した一又は複数の貫通孔１１ｅが設けられている。該貫通孔１１ｅは前記空間１１ｆに連なる。
【００３８】
第２筒部１２の一端部（第１筒部１１の反対側端部）に注出口１２ａが設けられている。第２筒部１２の一端部内側には、一端側の直径が他端側の直径よりも小さくなるように、円錐台状のテーパ１２ｂが形成されている。該テーパ１２ｂは注出口１２ａに連なる。第２筒部１２の他端部には、軸方向に窪んだ環状の案内溝１２ｊが設けられている。
【００３９】
第２筒部１２の軸方向中央部において、第２筒部１２の内側に筒体１２ｃが同軸的に設けられている。筒体１２ｃは外筒部１２ｄと、該外筒部１２ｄの内側に設けられた内筒部
１２ｅとを備える。外筒部１２ｄは、軸方向において、内筒部１２ｅよりも他端側に延びている。外筒部１２ｄ及び内筒部１２ｅは、注出口１２ａ側において連なっている。内筒部１２ｅの内周面は弁体１１ｃによって開閉される開閉路１２ｆを形成する。
【００４０】
軸方向において、筒体１２ｃ及び注出口１２ａの間に有底円筒状をなす整流部１２ｇが設けられている。整流部１２ｇは、底を筒体１２ｃに向けて配置されている。整流部１２ｇの外径は第２筒部１２の内径よりも小さく、整流部１２ｇの周囲には空間１２ｉが設けられている。整流部１２ｇは、一又は複数のリブ１２ｈを介して第２筒部１２の内側に固定されている。第２筒部１２の外周面には、軸方向中央部において、後述する連結板が係合する係合凹部１２ｋが形成されている。
【００４１】
第２筒部１２は、その他端側から、第１筒部１１の他端側（雌ねじ１１ａの反対側）に外嵌している。第２筒部１２は、第１筒部１１に対して、軸方向に摺動可能である。図３Ａに示すように、プッシュプルキャップ１０が閉栓している場合、案内環１１ｂは案内溝１２ｊに挿入されており、また弁体１１ｃは開閉路１２ｆに挿入され、開閉路１２ｆを閉鎖している。
【００４２】
また内筒部１２ｅ及び外筒部１２ｄは、弁体１１ｃの周囲に設けた空間１１ｆに挿入されており、外筒部１２ｄは貫通孔１１ｅを塞いでいる。貫通孔１１ｅ及び開閉路１２ｆが閉鎖されているので、プッシュプルキャップ１０からボトル５０内の液体は注出されない。
【００４３】
レバー６が下方に操作され、第２筒部１２が下方に移動した場合、プッシュプルキャップ１０は開栓する。この場合、図３Ｂに示すように、案内環１１ｂは案内溝１２ｊから抜き出され、弁体１１ｃは開閉路１２ｆから抜き出され、開閉路１２ｆは開放されている。
【００４４】
また内筒部１２ｅ及び外筒部１２ｄは、弁体１１ｃの周囲に設けた空間１１ｆから抜き出されており、外筒部１２ｄは貫通孔１１ｅを塞いでいない。すなわち、前記空間１１ｆ（第１筒部１１の内側空間）及び第２筒部１２の内側空間は、貫通孔１１ｅを介して連通している。
【００４５】
そのため、図３Ｂにて実線矢印で示すように、ボトル５０内の液体は、弁体１１ｃ周囲の空間１１ｆ及び開閉路１２ｆを通って、整流部１２ｇの底部に至り、該底部から整流部１２ｇの側面部に迂回し、注出口１２ａから注出される。
【００４６】
一方、図３Ｂにて破線矢印で示すように、外部の空気は、注出口１２ａから第２筒部１２の内側空間に入り、貫通孔１１ｅを通って、第１筒部１１の内側空間に入り、ボトル５０内に至る。空気がボトル５０に円滑に入るので、ボトル５０内の液体は注出口１２ａから円滑に注出される。
【００４７】
次にレバー６の構成を説明する。レバー６はボルトによって筐体１に取り付けられている。ボルトを取り外すことによって、レバー６を筐体１から取り外すことができる。すなわち、レバー６は取り外し可能に筐体１に取り付けられている。
【００４８】
図４は、レバー６を略示する側面図である。レバー６は、ユーザが操作するアーム６２と、前記貫通孔に取り付けられ、前記アーム６２を回動可能に支持する支持部６１と、アーム６２に形成されたスロット６２ｃ（図７参照）に挿入されて、前記係合凹部１２ｋに係合し、前記アーム６２及び第２筒部１２を連結する連結板６３とを備える。
【００４９】
図５は、支持部６１を略示する斜視図である。支持部６１は、前後方向に長い矩形状を
なすベース板６１ａを備える。ベース板６１ａの後縁部は、後方に突出するように、湾曲している。アーム６２の下降を規制するストッパ６１ｂがベース板６１ａの前縁部から下方に突出している。ストッパ６１ｂは、下端部が前方に突出したＬ形の棒状をなす。
【００５０】
ベース板６１ａの前部には、ベース板６１ａを上下方向に貫通しており、前記貫通孔に取り付けられる取付筒６１ｃが設けられている。取付筒６１ｃの外周面には、貫通孔に係止する複数（本実施例においては四つ）の係止凸部６１ｄが設けられている。
【００５１】
ベース板６１ａの後部には、上下に貫通した開口６１ｅが設けられている。該開口６１ｅの左右縁部には、上側が開口した半円筒状の軸支凹部６１ｆ、６１ｆがそれぞれ形成されている。軸支凹部６１ｆは外向きに延びている。二つの軸支凹部６１ｆ、６１ｆの前隣には、ボルトを挿入するボルト挿入孔６１ｇ、６１ｇがそれぞれ形成されている。ボルト挿入孔６１ｇは上下に貫通している。なおボルト挿入孔６１ｇの数は二つに限定されず、設計に応じて、適宜変更可能である。
【００５２】
図６は、アーム６２を略示する斜視図、図７は、アーム６２を略示する正面図である。アーム６２は前後に長く、後端部が開放された矩形のベース枠６２ａを備える。ベース枠６２ａの前面下部には、側面視逆Ｌ形の溝６２ｂが形成されている。溝６２ｂの前面には、左右に延びたスロット６２ｃが形成されている。
【００５３】
ベース枠６２ａの前端上部から上方に操作棒６２ｄが突出している。操作棒６２ｄの基端部から後方に、連結板６３を案内する前案内板６２ｅが突出している。ベース枠６２ａの前部には、ベース枠６２ａの左部６２ｆ及び右部６２ｇを連結する前底板６２ｐが設けられている。前底板６２ｐは前案内板６２ｅの斜め後下側に位置し、その左右方向中央部には、前方に向けて窪んだ凹部６２ｑが形成されている。
【００５４】
左部６２ｆの前後方向中央部分における上端部に二つの上案内板６２ｈ、６２ｈが間隔を空けて前後に設けられている。上案内板６２ｈは左部６２ｆから右方に向けて突出している。左部６２ｆの下端部に下案内板６２ｉが設けられている。下案内板６２ｉは、二つの上案内板６２ｈ、６２ｈの間に位置し、左部６２ｆから右方に向けて突出している。上案内板６２ｈ及び下案内板６２ｉは上下に離れている。
【００５５】
右部６２ｇの前後方向中央部分における上端部に二つの上案内板６２ｈ、６２ｈが間隔を空けて前後に設けられている。上案内板６２ｈは右部６２ｇから左方に向けて突出している。右部６２ｇの下端部に下案内板６２ｉが設けられている。下案内板６２ｉは、二つの上案内板６２ｈ、６２ｈの間に位置し、右部６２ｇから左方に向けて突出している。上案内板６２ｈ及び下案内板６２ｉは上下に離れている。
【００５６】
ベース枠６２ａの後部には左部６２ｆ及び右部６２ｇを連結する後底板６２ｊが設けられている。後底板６２ｊには、連結板６３を係止する二つの係止壁６２ｋ、６２ｋが立ち上がっている。二つの係止壁６２ｋ、６２ｋは、後底板６２ｊの左縁部分及び右縁部分にそれぞれ設けられている。二つの係止壁６２ｋ、６２ｋは左部６２ｆ及び右部６２ｇにそれぞれ略直角に連なっている。
【００５７】
後底板６２ｊの後縁部の左右両端部分から二つの支持柱６２ｍ、６２ｍがそれぞれ設けられている。支持柱６２ｍは後底板６２ｊから斜め後上方に突出している。支持柱６２ｍの上端部には枢軸６２ｎがそれぞれ設けられている。枢軸６２ｎは左右方向において、外向きに突出している。すなわち、右側の支持柱６２ｍの枢軸６２ｎは右側に突出し、左側の支持柱６２ｍの枢軸６２ｎは左側に突出している。
【００５８】
図８は、連結板６３を略示する斜視図である。連結板６３は、前後に長い矩形状のベース板６３ａを備える。ベース板６３ａの後部に、前方に向けて窪んだ半円状をなす凹部６３ｂが形成されている。凹部６３ｂは、ベース板６３ａの後縁部から前後方向中央部に亘って形成されている。凹部６３ｂの前端には更に前側に窪んだ部分が形成されている。
【００５９】
凹部６３ｂが形成されているので、連結板６３の後部の左右部分は棒状をなし、その後端部には左右方向外向きに突出した突出部６３ｋが形成されている。後述するように、第２筒部１２の係止凹部１２ｋに連結板６３が挿入された場合、凹部６３ｂの内縁部分が係止凹部１２ｋに係止する。
【００６０】
ベース板６３ａの前部には、上下に貫通した開口６３ｃが形成されている。ベース板６３ａの前縁部には、左右に延びた取手６３ｄが設けられている。取手６３ｄは上側が開放された椀状をなし（後述の図１２参照）、取手６３ｄの後面の左右方向中央部に、取手開口６３ｐが設けられている。取手開口６３ｐと前記開口６３ｃとは連なっている。
【００６１】
開口６３ｃの内側に上側が開放された椀状部６３ｅが配置されている。椀状部６３ｅは、可撓性を有する二つの支持板６３ｆ、６３ｆによって、取手６３ｄに連結されている。二つの支持板６３ｆ、６３ｆは、取手開口６３ｐの内側において、左右に並んでいる。支持板６３ｆは、取手６３ｄの底から上方に延びた縦部分６３ｇと、該縦部分６３ｇから後方に突出した突出部分６３ｈとを備える。突出部分６３ｈの先端に椀状部６３ｅは連結している。支持板６３ｆは可撓性を有するので、椀状部６３ｅは、上下方向に沿って、回動することができる。
【００６２】
前記開口６３ｃ内において、椀状部６３ｅの後端部から舌片６３ｉが後方に突出している。舌片６３ｉから下方に爪６３ｊが突出している（後述の図１２参照）。後述するように、連結板６３がスロット６２ｃに挿入された場合、爪６３ｊは前記凹部６２ｑの縁部分に係止する。
【００６３】
次にレバー６の筐体１への取り付け及びレバー６の組み立てについて説明する。図９は、支持部６１に取り付けたアーム６２と、スロット６２ｃに挿入する前の連結板６３とを略示する斜視図、図１０は、下側から視認した筐体１の貫通孔２ａ付近の構成を示す部分拡大斜視図、図１１は、筐体１に取り付けたレバー６及び筐体１に収容したボトル５０を略示する部分拡大縦断面図である。
【００６４】
支持部６１にアーム６２を取り付ける場合、支持部６１の開口６１ｅに上側から操作棒６２ｄを挿入し、アーム６２を前方に引き出し、枢軸６２ｎを軸支凹部６１ｆに挿入する。図９に示すように、枢軸６２ｎは軸支凹部６１ｆにて回動可能に支持される。
【００６５】
図１０に示すように、貫通孔２ａの縁部分には、係止凸部６１ｄに対応した複数の切欠２ｂが設けられている。支持部６１を筐体１に取り付ける場合、係止凸部６１ｄが切欠２ｂに挿入されるように、取付筒６１ｃを貫通孔２ａに下方から挿入し、支持部６１を貫通孔２ａの軸回りに回転させて、係止凸部６１ｄを貫通孔２ａの上縁部に係止させる。また支持部６１のボルト挿入孔６１ｇにボルトを挿入し、支持部６１を筐体１に固定する。
【００６６】
そして、プッシュプルキャップ１０を取り付けたボトル５０を収容室２に収容する。このとき、図１１に示すように、第１筒部１１のフランジ１１ｇは取付筒６１ｃの上端部に係止し、プッシュプルキャップ１０は貫通孔２ａ及び取付筒６１ｃから下側に突出する。
【００６７】
そして、図９の矢印にて示すように、椀状部６３ｅを下側に位置させて、連結板６３をアーム６２のスロット６２ｃに挿入する。なお連結板６３の二つの突出部６３ｋ、６３ｋ
間の寸法（左右寸法）は、スロット６２ｃの左右寸法よりも大きいので、突出部６３ｋ、６３ｋを内側に押圧してスロット６２ｃに挿入する。
【００６８】
突出部６３ｋは、ベース枠６２ａの左部６２ｆ及び右部６２ｇに接触しながら後方に移動するので、連結板６３の位置が安定し、連結板６３は前案内板６２ｅ及び上案内板６２ｈと下案内板６２ｉとの間を、突出部６３ｋが係止壁６２ｋに当接するまで、円滑に移動する。
【００６９】
取手６３ｄの上下寸法及び左右寸法は、スロット６２ｃの上下寸法及び左右寸法よりも大きく、連結板６３のスロット６２ｃへの挿入が完了した場合、取手６３ｄはスロット６２ｃの周縁部分に係止し、スロット６２ｃを覆う。スロット６２ｃへの挿入によって、連結板６３の凹部６３ｂの内縁部分が第２筒部１２の係止凹部１２ｋに係合し、連結板６３によって、アーム６２と第２筒部１２とが連結される。図１１に示すように、爪６３ｊは凹部６２ｑの縁部分に係止する。
【００７０】
この状態で操作棒６２ｄを下方に引いた場合、アーム６２は下方に回動し、第２筒部１２は下側に移動し、プッシュプルキャップ１０は開栓する。その後、操作棒６２ｄを上方に押した場合、アーム６２は上方に回動し、第２筒部１２は上側に移動し、プッシュプルキャップ１０は閉栓する。
【００７１】
なおストッパ６１ｂによって、アーム６２の下方への回動は規制されているので、第２筒部１２が第１筒部１１から外れることが防止され、またユーザはストッパ６１ｂに当たるまでアーム６２を下げることによって、プッシュプルキャップ１０は適度な開度で開栓し、ユーザの操作性を向上させることができる。
【００７２】
なおレバー６はプッシュプルキャップ１０に対してのみ使用されるものではなく、プッシュプルキャップ１０の内部構造に拘わらず、係止凹部１２ｋと同様な凹部を有する他のプッシュプルキャップに対しても使用することができる。
【００７３】
点検又は清掃のために、レバー６を筐体１から取り外す場合、まず、椀状部６３ｅを上方に押して、爪６３ｊの係止を解除し、連結板６３をスロット６２ｃから引き抜いて、アーム６２とプッシュプルキャップ１０との連結を解除する。次にボルト挿入孔６１ｇに挿入されたボルトを取り外し、支持部６１を筐体１から取り外す。このように、レバー６は容易に取り外すことができる。
【００７４】
実施の形態１に係る液体供給サーバにあっては、開閉路１２ｆを通過した液体は、整流部１２ｇにて整流されるので、飛散を防止しつつ注出口１２ａから注出される。
【００７５】
また開閉路１２ｆを通過した液体は、整流部１２ｇの底部に進路を邪魔されるので、前記底部から整流部１２ｇの側面部に迂回し、注出口１２ａに至る。迂回によって液体の整流を実現することができる。またテーパ１２ｂによって液体を注出口１２ａに集約させることができる。
【００７６】
なおテーパ１２ｂを設けず、第２筒部１２の一端部内側を軸方向に平行に、真っ直ぐに構成してもよい。
【００７７】
また取り外し可能なレバー６を設けることによって、点検の際に容易にレバー６を取り外し、修理又は洗浄を容易に行うことができる。また第２筒部１２の係合凹部１２ｋにレバー６を係止させることで、プッシュプルキャップ１０にレバー６を連結させることができる。
【００７８】
また連結板６３をアーム６２のスロット６２ｃに挿入するだけで、アーム６２及びプッシュプルキャップ１０を容易に連結させることができる。
【００７９】
（実施の形態２）
以下本発明を実施の形態２に係る液体供給サーバを示す図面に基づいて説明する。図１２は、液体供給サーバを略示する斜視図、図１３は、レバー６を略示する斜視図である。レバー６は、支持部６１と、アーム６２と、連結板６３と、支持部６１に係止してアーム６２の回動を規制する規制部６４とを備える。
【００８０】
図１２に示すように、筐体１は、その前側上部に、収容室２を開閉する回動可能な蓋１ａを備える。蓋１ａが閉じており、且つ規制部６４によってアーム６２の回動が規制されている場合、蓋１ａの回動を阻止する位置にアーム６２は配置される。より詳細には、アーム６２は蓋１ａの下端部に接近しており、蓋１ａを回動させた場合に、蓋１ａの下端部はアーム６２に当接し、回動することができない。
【００８１】
図１４は、支持部６１を略示する斜視図である。支持部６１は、前述したように、ストッパ６１ｂを備えており、ストッパ６１ｂの上下方向中央部の前面に前方に突出した突起部６１ｉが設けられている。突起部６１ｉの下側には傾斜部６１ｈが連なっている。傾斜部６１ｈは上下に延びており、下側の前後寸法が上側の前後寸法よりもが短くなるように傾斜している。突起部６１ｉには後述する係合部６４ｊが係合し、傾斜部６１ｈにはローラ６４ｋが当接する。
【００８２】
図１５は、アーム６２及び規制部６４を略示する分解斜視図である。アーム６２は、ベース枠６２ａの前端上部から上方に突出した操作棒６２ｒを備える。操作棒６２ｒには、前後に貫通しており、後述する第２操作棒６４ｇを挿入する挿入孔６２ｓが設けられている。また操作棒６２ｒの上端部の後部に、前方に窪んだ凹部が形成されており、該凹部の左右側面部分には、後述する回動軸６４ｉを回動可能に支持する左右方向に貫通した支持孔６２ｔがそれぞれ設けられている。
【００８３】
アーム６２の前底板６２には、二つの前ガイド６２ｖ、６２ｖと、該前ガイド６２ｖの後側に位置する二つの後ガイド６２ｗ、６２ｗとが設けられている。二つの前ガイド６２ｖは左右に対向配置されている。前ガイド６２ｖは、前後に延びた部分と、該部分の前端部から、対向する他の前ガイド６２ｖに向けて延びた部分とを有する。
【００８４】
二つの後ガイド６２ｗは左右に対向配置されている。後ガイド６２ｗは、上下に延びた部分と、該部分の上端部から、対向する他の後ガイド６２ｗに向けて延びた部分とを有する。前ガイド６２ｖ及び後ガイド６２ｗは、後述する摺動板６４ｅを案内する。
【００８５】
ベース枠６２ａの前端部には、後述する付勢部材６４ｍを受ける受部６２ｕを備える。受部６２ｕは円柱形をなし、後方に突出している。受部６２ｕは二つの前ガイド６２ｖの間に配置されている。なお受部６２ｕの形状は円柱形に限定されない。
【００８６】
規制部６４は、突起部６１ｉに係合する係合部６４ｊと、該係合部６４ｊを支持する第２支持部６４ａを備える。第２支持部６４ａは平面視矩形の本体６４ｂを備える。本体６４ｂは前後に長く、その後端部に二つの軸受６４ｃが左右に並設されている。
【００８７】
本体６４ｂの前部に付勢部材６４ｍを収容する収容室６４ｄが形成されている。収容室６４ｄの前側は開口している。本体６４ｂの左右に、前後に延びた二つの摺動板６４ｅがそれぞれ設けられている。摺動板６４ｅには外向きに突出した突出部６４ｆが設けられている。
【００８８】
本体６４ｂの前部上端から第２操作棒６４ｇが上方に突出している。第２操作棒６４ｇの上端部は二股に分かれており、二股に分かれた部分によって二つの第３支持部６４ｈが形成されている。二つの第３支持部６４ｈには二つの回動軸６４ｉがそれぞれ支持されている。回動軸６４ｉは左右方向外向きに突出している。
【００８９】
前記係合部６４ｊは左右方向を回転軸方向としたローラ６４ｋと、該ローラ６４ｋの左右両端部から、それぞれ突出した二つの軸部６４ｌ、６４ｌとを備える。二つの軸部６４ｌは、二つの軸受６４ｃに回転可能に支持されている。
【００９０】
摺動板６４ｅは二つの前ガイド６２ｖの間及び二つの後ガイド６２ｗの間に挿入されており、前ガイド６２ｖ及び後ガイド６２ｗに案内され、前後方向に移動可能である。突起部６４ｆは、前ガイド６２ｖ及び後ガイド６２ｗの間に配置されている。回動軸６４ｉは支持孔６２ｔに回動可能に支持されている。付勢部材６４ｍは収容室６４ｄに収容されており、受部６２ｕは付勢部材６４ｍの前端部を受ける。付勢部材６４ｍは、例えば、ばね又はゴムである。
【００９１】
付勢部材６４ｍは、受部６２ｕと収容室６４ｄの底部との間に挟まれており、第２支持部６４ａ及び係合部６４ｊを後方に付勢する。付勢部材６４ｍの付勢力に抗して、第２操作棒６４ｇを前方に移動させた場合、第２操作棒６４ｇは、操作棒６２ｒの凹部及び挿入孔６２ｓに挿入され、操作棒６２ｒに干渉することなく、前方に移動することができ、係合部６４ｊも前方に移動することができる。
【００９２】
図１６は、連結板６３を略示する斜視図である。ベース板６３ａの前部上面には、前後に延びた溝６３ｑが形成されている。溝６３ｑは収容室６４ｄに対応した位置に配されている。ベース板６３ａの前部の左右に二つの爪６３ｒ、６３ｒがそれぞれ設けられている。爪６３ｒは左右方向外向きに突出している。
【００９３】
図１７は、突起部６１ｉにローラ６４ｋが係合したレバー６及び筐体１に収容したボトル５０を略示する部分拡大縦断面図である。実施の形態１と同様に、支持部６１の取付筒６１ｃは貫通孔２ａに挿入され、支持部６１は筐体１に固定されている。またアーム６２は支持部６１に取り付けられている。
【００９４】
スロット６２ｃに連結板６３が挿入され、アーム６２は第２筒部１２の係合凹部１２ｋに係合している。なお連結板６３の爪６３ｒはスロット６２ｃの内側において、アーム６２に形成された突起（図示略）に係止している。
【００９５】
規制部６４はアーム６２と支持部６１との間に配置されている。初期状態において、ローラ６４ｋは突起部６１ｉの上側に配置される。付勢部材６４ｍの付勢力よって、規制部６４は後方に付勢されており、第２操作棒６４ｇは回動軸６４ｉの軸回りに、詳しくは、図１７における反時計回りに回動する。摺動板６４ｅは後方に移動し、ローラ６４ｋは突起部６１ｉに係止する。
【００９６】
プッシュプルキャップ１０を開くには、アーム６２を下げればよいが、ローラ６４ｋ及び軸受け６４ｃが突起部６１ｉに係合しているので、アーム６２は下がらず、プッシュプルキャップ１０は開かない。ユーザは、アーム６２を下げる為には、突起部６１ｉに対するローラ６４ｋの係合を解除する必要がある。
【００９７】
図１８は、突起部６１ｉに対するローラ６４ｋの係合が解除されたレバー６及び筐体１に収容したボトル５０を略示する部分拡大縦断面図である。前記係合を解除する為に、ユーザは、操作棒６２ｒと共に第２操作棒６４ｇを握持する。第２操作棒６４ｇには前方への力が付与され、付勢部材６４ｍの付勢力に抗して、第２操作棒６４ｇは回動軸６４ｉの軸回りに、詳しくは図１７における時計回りに回動する。操作棒６２ｒと共に第２操作棒６４ｇを握持したとき、ユーザはクリック感を得ることができ、係合の解除を認識することができる。また目視によっても、係合の解除を認識することができる。摺動板６４ｅは前方に移動し、ローラ６４ｋ及び軸受け６４ｃも前方に移動して、突起部６１ｉに対するローラ６４ｋ及び軸受け６４ｃの係止が解除される。
【００９８】
図１８の矢印にて示すように、ユーザは操作棒６２ｒ及び第２操作棒６４ｇを下げる。ローラ６４ｋは傾斜部６１ｈに接触しつつ、下方に移動する。第２筒部１２は下方に移動し、プッシュプルキャップ１０は開く。
【００９９】
プッシュプルキャップ１０を閉じる場合、以下のようにユーザは操作する。ユーザは、図１７の矢印にて示すように、操作棒６２ｒを上方に移動させる。ローラ６４ｋは傾斜部６１ｈに接触しつつ、上方に移動する。ローラ６４ｋは傾斜部６１ｈに接触して上方に移動しており、係止されていないので、ユーザは、第２操作棒６４ｇを握らなくても、操作棒６２ｒを上方に移動させるだけで、操作棒６２ｒ及び第２操作棒６４ｇを上方に移動させることができる。
【０１００】
第２筒部１２は上方に移動し、プッシュプルキャップ１０は閉じる。図１７に示すように、ローラ６４ｋは傾斜部６１ｈ、更に突起部６１ｉを乗り越えて、突起部６１ｉに係合する。ローラ６４ｋが突起部６１ｉに係合したとき、ロック音が発生し、ユーザは係合を感知することができる。また目視によっても、係合を認識することができる。
【０１０１】
実施の形態２に係る液体供給サーバにあっては、規制部６４を設けることによって、アーム６２が不要に回動し、プッシュプルキャップ１０が開くことを防止することができる。誤ってアーム６２に接触した場合又は幼児がアーム６２を操作使用とした場合でも、規制部６４によるアーム６２の回動の規制を解除しない限り、アーム６２は回動せず、したがって、プッシュプルキャップ１０は開かない。
【０１０２】
前述したように、蓋１ａが閉じており、且つ規制部６４によってアーム６２の回動が規制されている場合、蓋１ａの回動を阻止する位置にアーム６２は配置され、ユーザは蓋１ａを開くことができない。蓋１ａを開けるためには、ユーザは、アーム６２の回動規制を解除してからアーム６２を下げる必要がある。
【０１０３】
ボトル５０内の液体を流下させずにアーム６２を下げるためには、連結板６３の凹部６３ｂと、第２円筒部１２の係合凹部１２ｋとの連結を解除する必要がある。この解除作業を行わない限り、蓋１ａを開けることはできない。そのため、第２円筒部１２の係合凹部１２ｋに連結板６３の凹部６３ｂが係合した状態で、ユーザが誤って蓋１ａを開けて、ボトル５０を取り外し、第１円筒部１１と第２円筒部１２を分離させて、ボトル５０内の液体を漏出させることを防止することができる。
【０１０４】
また付勢部材６４ｍによって係合部６４ｊを突起部６１ｉに向けて付勢し、係合部６４ｊを突起部６１ｉに係止させる。また付勢部材６４ｍの付勢力に抗して、第２支持部６４ａを回動させることによって、突起部６１ｉに対する係合部６４ｊの係合を解除することができる。係合部６４ｊを突起部６１ｉに係合させた場合、ロック音が発生し、ユーザは係合を感知することができる。突起部６１ｉに対する係合部６４ｊの係合を解除した場合、ユーザはクリック感を得ることができ、係合の解除を認識することができる。また目視によっても、係合又は係合の解除を認識することができる。
【０１０５】
また係合部６４ｊがローラ６４ｋを備え、突起部６１ｉに傾斜部６１ｈが連なっているので、突起部６１ｉに対する係合部６４ｊの係合が解除された後、ローラ６４ｋは傾斜部６１ｈに接触しつつ、移動し、プッシュプルキャップ１０を円滑に開くことができる。
【０１０６】
実施の形態２に係る液体供給サーバの構成の内、実施の形態１と同様な構成については同じ符号を付し、その詳細な説明を省略する。
【０１０７】
今回開示した実施の形態は、全ての点で例示であって、制限的なものではないと考えられるべきである。各実施例にて記載されている技術的特徴は互いに組み合わせることができ、本実施例の範囲は、特許請求の範囲内での全ての変更及び特許請求の範囲と均等の範囲が含まれることが意図される。
【符号の説明】
【０１０８】
６  レバー
１０  プッシュプルキャップ
１１  第１筒部
１１ｃ  弁体
１２  第２筒部
１２ａ  注出口
１２ｂ  テーパ
１２ｆ  開閉路
１２ｇ  整流部
１２ｋ  係合凹部
５０  ボトル
６１  支持部
６１ｈ  傾斜部
６１ｉ  突起部
６２  アーム
６２ｃ  スロット
６３  連結板
６４  規制部
６４ａ  第２支持部
６４ｊ  係合部
６４ｋ  ローラ
６４ｍ  付勢部材
１ａ  蓋
【図１】
0006725937.tif 000002
【図２】
0006725937.tif 000003
【図３】
0006725937.tif 000004
【図４】
0006725937.tif 000005
【図５】
0006725937.tif 000006
【図６】
0006725937.tif 000007
【図７】
0006725937.tif 000008
【図８】
0006725937.tif 000009
【図９】
0006725937.tif 000010
【図１０】
0006725937.tif 000011
【図１１】
0006725937.tif 000012
【図１２】
0006725937.tif 000013
【図１３】
0006725937.tif 000014
【図１４】
0006725937.tif 000015
【図１５】
0006725937.tif 000016
【図１６】
0006725937.tif 000017
【図１７】
0006725937.tif 000018
【図１８】
0006725937.tif 000019